(57)【要約】【課題】組み立てる際、迅速に位置決めし、組み合わせることができる直列式ファン接合構造を提供する。【解決手段】本考案の直列式ファン接合構造は、第１の本体１及び第２の本体２を含む。第１の本体１には、第１の係合体１２３、第２の係合体１２４、第１の被係合体１２１及び第２の被係合体１２２が設けられる。第２の本体２には、第１の被係合溝２２１、第２の被係合溝２２２、第１の凸体２２３及び第２の凸体２２４が設けられる。第１の係合体１２３及び第２の係合体１２４が第１の被係合溝２２１及び第２の被係合溝２２２に対応して係合され、第１の凸体２２３及び第２の凸体２２４が第１の被係合体１２１及び第２の被係合体１２２に対応して係合されることにより、ファンを迅速に組み合わせ、振動を低減させることができる。【選択図】図１
0003176510.tif 000002
【実用新案登録請求の範囲】
【請求項１】
第１の本体及び第２の本体を備える直列式ファン接合構造であって、
前記第１の本体は、第１の開口端、第２の開口端及び第１の流路を有し、前記第１の開口端及び前記第２の開口端は、前記第１の流路と連通し、前記第２の開口端の四隅には、第１の係合体、第２の係合体、第１の被係合体及び第２の被係合体が設けられ、
前記第２の本体は、第３の開口端、第４の開口端及び第２の流路を有し、前記第３の開口端及び前記第４の開口端は、前記第２の流路と連通し、前記第４の開口端の四隅には、第１の被係合溝、第２の被係合溝、第１の凸体及び第２の凸体が設けられ、前記第１の凸体及び前記第２の凸体は、前記第４の開口端から径方向に延伸して構成され、前記第１の係合体及び前記第２の係合体は、前記第１の被係合溝及び前記第２の被係合溝に対応して係合され、前記第１の凸体及び前記第２の凸体は、前記第１の被係合体及び前記第２の被係合体に対応して係合されることを特徴とする直列式ファン接合構造。
【請求項２】
前記第１の開口端の四隅には、少なくとも１つの孔を有し、前記第３の開口端の四隅には、少なくとも１つの孔を有することを特徴とする請求項１に記載の直列式ファン接合構造。
【請求項３】
第２の開口端は、第１の軸受台及び複数の接続体を有し、前記複数の接続体の両端には、前記第２の開口端及び前記第１の軸受台が接続され、前記第４の開口端は、第２の軸受台及び複数の接続体を有し、前記複数の接続体の両端には、前記第４の開口端及び前記第２の軸受台が接続され、前記第１の軸受台は、前記第２の軸受台と対向接続されることを特徴とする請求項１に記載の直列式ファン接合構造。
【請求項４】
第１の被係合溝は、第１の開放側及び第１の封鎖側を有し、第２の被係合溝は、第２の開放側及び第２の封鎖側を有し、前記第１の係合体は、第１の係合端を有し、前記第２の係合体は、第２の係合端を有し、前記第１の係合端及び前記第２の係合端は、前記第１の開放側及び前記第２の開放側にそれぞれ当接されることを特徴とする請求項１に記載の直列式ファン接合構造。
【請求項５】
前記第１の凸体は、第１の凸端及び第１の溝部を有し、前記第１の溝部は、前記第１の凸端部分に軸方向に凹設され、前記第２の凸体は、第２の凸端及び第２の溝部を有し、前記第２の溝部は、前記第２の凸端部分に軸方向に凹設されることを特徴とする請求項１に記載の直列式ファン接合構造。
【請求項６】
前記第１の流路と前記第２の流路とは互いに連通することを特徴とする請求項１に記載の直列式ファン接合構造。
【請求項７】
前記第１の被係合溝は、第１の圧迫部を有し、前記第２の被係合溝は、第２の圧迫部を有し、前記第１の本体と前記第２の本体とが組み合わされる際、前記第１の圧迫部及び前記第２の圧迫部は、前記第１の本体の第２の開口端に当接されることを特徴とする請求項１に記載の直列式ファン接合構造。
【考案の詳細な説明】
【技術分野】
【０００１】
本考案は、直列式ファン接合構造に関し、特に、係合によって直列式ファンを迅速に接合して位置決めすることができる上、振動を防止することができる直列式ファン接合構造に関する。
【背景技術】
【０００２】
科学技術の進歩に伴い、人々の各種電子装置に対する依頼度も高まっている。しかし、電子製品（デスクトップ型パソコン、ノート型パソコンなど）は、作動時、内部の素子から多くの熱が発生する。この熱を電子製品の外部に即時に排出できない場合、電子製品が過熱状態となる。そこで、大部分の電子製品の内部には、ファンが設けられる。これにより、電子製品は、所定の操作温度の範囲内における作動を維持することができる。しかし、１つのファンのみによって提供される風力では不足する場合があるため、２つ以上のファンが直列に接合されることにより、十分な風力が提供される。
【０００３】
特許文献１の「ＣＰＵユニットに用いられる冷却装置」は、放熱フィン及び少なくとも２つ以上ファンを含む。また、特許文献１の冷却装置は、第１のファンと第２のファンとが直列式に対向接合されることによって構成される。第１のファンと第２のファンとの間には、複数の連結柱により、所定の間隔が設けられる。これにより、放熱フィンがＣＰＵユニットの熱を吸収した際、２つの直列式ファンにより、増圧された風量が提供されるため、冷却効果及び冷却速度が高められる。
【０００４】
また、第１のファン及び第２のファンのフレームの四隅には、貫通孔が設けられる。これにより、第１のファンと第２のファンとを直列式に対向接合する際は、貫通孔にねじを貫通させ、第１のファンと第２のファンとを接合する上、放熱フィン上に螺設する。
【０００５】
しかし、ねじのみによって２つのファンを接合する方式には、問題が存在する。２つのファンのねじが螺着される作用点は、一方のファンの側面であり、２つのファンの接合面ではない。これにより、ファン間の接合力が不足し、ファンが回転する際に騒音が発生しやすい。また、流体が接合面の隙間から漏れやすいため、放熱器の風量が影響を受け、放熱効果が低下する。
【０００６】
また、他の従来技術による直列式ファン接合構造においては、直列接合するファン中の一方のファンの四隅に複数の貫通孔が設けられ、他方のファンの複数の貫通孔に対応する部分には、少なくとも１つの凸体がそれぞれ設けられる。各凸体を各貫通孔に嵌入することにより、２つのファンが直列接合されて固定される。この固定方式により、２つのファンを直列接合して固定することができるが、接合した後の緊密性が低いため、振動及び騒音が発生する。
【０００７】
即ち、従来技術による直列式ファン接合構造は、以下（１）〜（３）に示す欠点を有する。
（１）２つのファンを接合する際の緊密性が低い。
（２）振動及び騒音が発生する。
（３）組立に不便である。
【考案の概要】
【考案が解決しようとする課題】
【０００８】
本考案の目的は、直列式ファンを組み立てる際、迅速に位置決めし、組み合わせることができる直列式ファン接合構造を提供することにある。
【課題を解決するための手段】
【０００９】
上述の課題を解決するために、本考案の直列式ファン接合構造は、第１の本体及び第２の本体を含む。
【００１０】
第１の本体は、第１の開口端、第２の開口端及び第１の流路を有する。第１の開口端及び第２の開口端は、第１の流路と連通している。第２の開口端の四隅には、第１の係合体、第２の係合体、第１の被係合体及び第２の被係合体が設けられる。
【００１１】
第２の本体は、第３の開口端、第４の開口端及び第２の流路を有する。第３の開口端及び第４の開口端は、第２の流路と連通している。第４の開口端の四隅には、第１の被係合溝、第２の被係合溝、第１の凸体及び第２の凸体が設けられる。第１の凸体及び第２の凸体は、第４の開口端から径方向に延伸して構成される。第１の係合体及び第２の係合体は、第１の被係合溝及び第２の被係合溝に対応して係合され、第１の凸体及び第２の凸体は、第１の被係合体及び第２の被係合体に対応して係合される。
【考案の効果】
【００１２】
本考案の直列式ファン接合構造は、直列式ファンを組み立てる際、螺着部材を使用することなく、迅速に位置決めし、組み合わせることができる。さらに、ファンとファンとの緊密性を高めることができるため、ファンが作動する際に振動及び騒音が発生しない。これにより、使用寿命を延長することができる。
【図面の簡単な説明】
【００１３】
【図１】本考案の第１実施形態による直列式ファン接合構造を示す分解斜視図である。
【図２】本考案の第１実施形態による直列式ファン接合構造を示す斜視図である。
【図３】本考案の第２実施形態による直列式ファン接合構造を示す斜視図である。
【図４】本考案の第３実施形態による直列式ファン接合構造の第１の本体を示す斜視図である。
【図５】本考案の第３実施形態による直列式ファン接合構造の第２の本体を示す斜視図である。
【考案を実施するための形態】
【００１４】
本考案の目的、特徴および効果を示す実施形態を図面に沿って詳細に説明する。
【００１５】
（第１実施形態）
図１及び図２を参照する。図１は、本考案の第１実施形態による直列式ファン接合構造を示す分解斜視図である。図２は、本考案の第１実施形態による直列式ファン接合構造を示す斜視図である。図１及び図２に示すように、本考案の第１実施形態による直列式ファン接合構造は、第１の本体１及び第２の本体２を含む。
【００１６】
第１の本体１は、第１の開口端１１、第２の開口端１２及び第１の流路１３を有する。第１の開口端１１及び第２の開口端１２は、第１の流路１３と連通している。第２の開口端１２の四隅には、第１の係合体１２３、第２の係合体１２４、第１の被係合体１２１及び第２の被係合体１２２が設けられる。
【００１７】
第２の本体２は、第３の開口端２１、第４の開口端２２及び第２の流路２３を有する。第３の開口端２１及び第４の開口端２２は、第２の流路２３と連通している。第４の開口端２２の四隅には、第１の被係合溝２２１、第２の被係合溝２２２、第１の凸体２２３及び第２の凸体２２４が設けられる。第１の凸体２２３及び第２の凸体２２４は、第４の開口端２２から径方向に延伸して構成される。第１の係合体１２３及び第２の係合体１２４は、第１の被係合溝２２１及び第２の被係合溝２２２に対応して係合され、第１の凸体２２３及び第２の凸体２２４は、第１の被係合体１２１及び第２の被係合体１２２に対応して係合される。
【００１８】
第１の被係合溝２２１は、第１の開放側２２１１及び第１の封鎖側２２１２を有する。第２の被係合溝２２２は、第２の開放側２２２１及び第２の封鎖側２２２２を有する。第１の係合体１２３は、第１の係合端１２３１を有する。第２の係合体１２４は、第２の係合端１２４１を有する。第１の係合端１２３１及び第２の係合端１２４１は、第１の開放側２２１１及び第２の開放側２２２１にそれぞれ当接される。
【００１９】
第１の凸体２２３は、第１の凸端２２３１及び第１の溝部２２３２を有する。第１の溝部２２３２は、第１の凸端２２３１部分に軸方向に凹設される。第２の凸体２２４は、第２の凸端２２４１及び第２の溝部２２４２を有する。第２の溝部２２４２は、第２の凸端２２４１部分に軸方向に凹設される。
【００２０】
第２の開口端１２は、第１の軸受台１４及び複数の接続体１５を有する。複数の接続体１５の両端には、第２の開口端１２及び第１の軸受台１４が接続される。第４の開口端２２は、第２の軸受台２４及び複数の接続体２５を有する。複数の接続体２５の両端には、第４の開口端２２及び第２の軸受台２４が接続される。第１の軸受台１４は、第２の軸受台２４と対向接続される。これにより、第１の流路１３と第２の流路２３とは互いに連通する。
【００２１】
本考案の第１実施形態中、第１の本体１と第２の本体２とが組み合わされる際、第１の本体１の第１の係合体１２３及び第２の係合体１２４が第２の本体２の第１の被係合溝２２１及び第２の被係合溝２２２に嵌入される。次に、第１の被係合溝２２１及び第２の被係合溝２２２の反対側に設けられる第１の凸体２２３及び第２の凸体２２４が第１の本体１に設けられる第１の被係合体１２１及び第２の被係合体１２２に係合される。
【００２２】
（第２実施形態）
図３を参照する。図３は、本考案の第２実施形態による直列式ファン接合構造を示す斜視図である。図３に示すように、本考案の第２実施形態による直列式ファン接合構造は、一部部材及び部材間の対応関係が第１実施形態と同一であるため、同一部分は、ここでは繰り返して述べない。本考案の第２実施形態による直列式ファン接合構造においては、第１の開口端１１の四隅に少なくとも１つの孔１１１が設けられる。また、第３の開口端２１の四隅には、少なくとも１つの孔２１１が設けられる。
【００２３】
（第３実施形態）
図４及び図５を参照する。図４は、本考案の第３実施形態による直列式ファン接合構造の第１の本体を示す斜視図である。図５は、本考案の第３実施形態による直列式ファン接合構造の第２の本体を示す斜視図である。図４及び図５に示すように、本考案の第３実施形態による直列式ファン接合構造は、一部部材及び部材間の対応関係が第１実施形態と同一であるため、同一部分は、ここでは繰り返して述べない。本考案の第３実施形態による直列式ファン接合構造においては、第１の被係合溝２２１が第１の圧迫部２２１３を有する。また、第２の被係合溝２２２が第２の圧迫部２２２３を有する。第１の本体１と第２の本体２とが組み合わされる際、第１の圧迫部２２１３及び第２の圧迫部２２２３は、第１の本体１の第２の開口端１２に当接される。これにより、第１の本体１と第２の本体２との間の緊密性が高められる。
【符号の説明】
【００２４】
１        第１の本体
１１      第１の開口端
１１１    孔
１２      第２の開口端
１２１    第１の被係合体
１２２    第２の被係合体
１２３    第１の係合体
１２３１  第１の係合端
１２４    第２の係合体
１２４１  第２の係合端
１３      第１の流路
１４      第１の軸受台
１５      接続体
２        第２の本体
２１      第３の開口端
２１１    孔
２２      第４の開口端
２２１    第１の被係合溝
２２１１  第１の開放側
２２１２  第１の閉鎖側
２２１３  第１の圧迫部
２２２    第２の被係合溝
２２２１  第２の開放側
２２２２  第２の閉鎖側
２２２３  第２の圧迫部
２２３    第１の凸体
２２３１  第１の凸端
２２３２  第１の溝部
２２４    第２の凸体
２２４１  第２の凸端
２２４２  第２の溝部
２３      第２の流路
２４      第２の軸受台
２５      接続体
【図１】
0003176510.tif 000003
【図２】
0003176510.tif 000004
【図３】
0003176510.tif 000005
【図４】
0003176510.tif 000006
【図５】
0003176510.tif 000007